(57)【要約】      （修正有）【課題】弾性デバイスに安定し直立し後方に倒れず、留め具の嵌合を解除するだけで携帯型電子機器を自動的開く保護ケースを提供する。【解決手段】第１のボディ２１０、枢接する第２のボディ２２０を有し、搬送面３００上に置かれている。第２のボディ２２０は第１のボディ２１０に対して折り重ねられて覆うか、第１のボディ２１０から離れて前記搬送面３００上に直立する。保護ケースは、第１のボディ２１０の底面を覆う第１の第１のカバープレート１１０と、第２のボディ２２０の背面を覆う第２のカバープレートと、第１のカバープレート１１０の第１のサイドエッジと第２のカバープレート１２０の第２のサイドエッジとの間を連接する連接部１３０を含む。底部は第１のカバープレートにより搬送面３００上に置かれ、第２のボディ２２０が第１のボディ２１０から離れると、連接部１３０の支持により搬送面３００上で直立するか、連接部１３０の弾性回復力により背面２２２を押さえ付ける。【選択図】図４
0003177914.tif 000002
【実用新案登録請求の範囲】
【請求項１】
携帯型電子機器に用いられる保護ケースであって、
前記携帯型電子機器は、第１のボディ、および前記第１のボディに枢接する第２のボディを有し、前記第１のボディは搬送面上に置かれ、前記第２のボディは前記第１のボディに対して折り重ねられ、前記第１のボディを覆うようにかぶさるか、前記第１のボディから離れて前記搬送面上に直立し、
前記保護ケースは、前記第１のボディの底面を覆う前記第１のカバープレートと、前記第２のボディの背面を覆う第２のカバープレートと、前記第１のカバープレートの第１のサイドエッジと第２のカバープレートの第２のサイドエッジとの間を連接する少なくとも一つの連接部を含み、
底部は前記第１のカバープレートにより前記搬送面上に置かれ、前記第２のボディが前記第１のボディから離れると、前記第２のカバープレートが前記連接部の支持により前記搬送面上で直立するか、前記連接部の弾性回復力により背面を押さえ付けることを特徴とする保護ケース。
【請求項２】
前記連接部は、弾性デバイスで、前記第２のボディが前記第１のボディから離れると、前記第２のカバープレートが弾性デバイスの弾性回復力により前記背面を押さえ付けることを特徴とする請求項１に記載の保護ケース。
【請求項３】
前記弾性デバイスは、プラスチック薄板スプリング、金属薄板スプリング、ねじりコイルばね、渦巻きばねのうちの少なくとも一つであることを特徴とする請求項２に記載の保護ケース。
【請求項４】
前記第１の第１のカバープレートおよび前記第２のカバープレートは、プラスチックプレートまたは金属プレートであることを特徴とする請求項２に記載の保護ケース。
【請求項５】
前記第１のカバープレート、前記第２のカバープレートおよび前記連接部は、粉末射出成形または熱成形により一体成形されることを特徴とする請求項２に記載の保護ケース。
【請求項６】
前記第１のカバープレート、前記第２のカバープレートおよび前記連接部は、留め具、粘着、螺着、リベット締めなどの方法により結合されることを特徴とする請求項１に記載の保護ケース。
【請求項７】
前記連接部は、歯車構造、ナットによる螺着構造または締りばめ構造を有するシャフトからなり、前記第１のボディが前記第２のボディから離れると、前記第２のカバープレートが前記連接部の提供する支持力により前記搬送面上で直立することを特徴とする請求項１に記載の保護ケース。
【請求項８】
前記連接部は、数量が１つで、前記第１のサイドエッジの中段と前記第２のサイドエッジの中段との間に連接していることを特徴とする請求項１に記載の保護ケース。
【請求項９】
前記連接部は、数量が２つで、隣接した第前記１のサイドエッジの相対する両端と、隣接した前記第２のサイドエッジの相対する両端との間に連接していることを特徴とする請求項１に記載の保護ケース。
【請求項１０】
前記連接部は、数量が複数個で、前記第１のサイドエッジと前記第２のサイドエッジとの間に均等に分布していることを特徴とする請求項１に記載の保護ケース。
【請求項１１】
前記第１のカバープレートは、前記第１のサイドエッジに対して設けた第１の留め具を有し、前記第２のカバープレートは、前記第２のサイドエッジに対して設けた第２の留め具を有し、前記第２のボディが前記第１のボディに対して折り重ねられ、前記第１のボディを覆うようにかぶさると、前記第１の留め具および前記第２の留め具が相互に嵌合し、前記携帯型電子機器を前記第１のカバープレートと前記第２のカバープレートとの間に収納することを特徴とする請求項１に記載の保護ケース。
【請求項１２】
前記第１の留め具および前記第２の留め具は、チャック、面ファスナー、スナップボタン、極性が反対の永久磁石、永久磁石と強磁性体の組み合わせ、ホックとホックの穴の組み合わせ、またはピンとピン穴の組み合わせであることを特徴とする請求項１１に記載の保護ケース。
【請求項１３】
前記保護ケースは、前記第１のカバープレート、前記第２のカバープレートおよび前記連接部の内表面を覆い、前記携帯型電子機器が前記第１のカバープレート、前記第２のカバープレートおよび前記連接部に接するのを防ぐ内層材料層をさらに含むことを特徴とする請求項１に記載の保護ケース。
【請求項１４】
前記保護ケースは、前記内層材料層と前記内表面との間に裏側緩衝材料層をさらに含むことを特徴とする請求項１３に記載の保護ケース。
【請求項１５】
前記保護ケースは、前記第１のカバープレート、前記第２のカバープレートおよび前記連接部の外表面を覆う外層材料層をさらに含むことを特徴とする請求項１に記載の保護ケース。
【請求項１６】
前記保護ケースは、前記外層材料層と前記外表面との間に裏側緩衝材料層をさらに含むことを特徴とする請求項１５に記載の保護ケース。
【請求項１７】
前記連接部は、前記第１のカバープレートに固着された第１の金属片と、
前記第２のカバープレートに固着された第２の金属片と、
前記第１のカバープレートの端から距離のある前記第１の金属片と、前記第２のカバープレートの端から距離のある前記第２の金属片との間に枢着されている少なくとも一つのシャフトと、を含むことを特徴とする請求項１に記載の保護ケース。
【請求項１８】
前記第１の金属片および前記第２の金属片の少なくともどちらかが、
前記第１のカバープレートの前記内表面または前記第２のカバープレートの前記内表面に配置されたメインプレートと、
前記第１のカバープレートの前記外表面または前記第２のカバープレートの前記外表面に配置された第１の湾曲プレートと、
前記第１のカバープレートまたは前記第２のカバープレート１２０を貫き、前記メインプレートと前記第１の湾曲プレートとの間に連接された第２の湾曲プレートと、
前記第２の湾曲プレートの前記サイドエッジに相対する前記メインプレート上に配置され、前記シャフトを枢接する枢接部と、を含むことを特徴とする請求項１７に記載の保護ケース。
【請求項１９】
前記第１のカバープレートおよび前記第２のカバープレートの少なくともどちらかが、前記内表面上に第１のくぼみを有し、前記外表面上に第２のくぼみを有し、前記内表面から前記外表面まで延伸したスリットを有し、前記メインプレートの一部が前記第１のくぼみ内に埋設され、前記第１の湾曲プレートが前記第２のくぼみ内に埋設され、前記第２の湾曲プレートが前記スリット内に埋設されていることを特徴とする請求項１８に記載の保護ケース。
【請求項２０】
前記連接部は、二つのシャフトを有し、前記第１の金属片の前記枢接部および前記第２の金属片の前記枢接部は前記二つの環状プレートおよび前記連接プレートを含み、前記二つのシャフトは相互に対応する前記第１の金属片の前記環状プレートのうちの一つと、前記第２の金属片の前記環状プレートのうちの一つとに嵌設され、前記連接プレートは前記メインプレートと前記環状プレートとを連接することを特徴とする請求項１８に記載の保護ケース。
【請求項２１】
前記第１の金属片および前記第２の金属片は、どちらかの前記連接プレートが前記環状プレートとの間に隙間を形成し、前記第１の金属片および前記第２の金属片のもう一方の前記環状プレートが前記隙間内に位置することを特徴とする請求項２０に記載の保護ケース。
【請求項２２】
前記シャフトは、ナットおよびボルトの組み合わせであることを特徴とする請求項１７に記載の保護ケース。
【請求項２３】
前記第１の金属片は、半田付け、留め具、粘着、螺着、リベット締めなどの方法か、その組み合わせにより前記第１のカバープレート固着することを特徴とする請求項１７に記載の保護ケース。
【請求項２４】
前記第２の金属片は、半田付け、留め具、粘着、螺着、リベット締めなどの方法か、その組み合わせにより前記第２のカバープレート固着することを特徴とする請求項１７に記載の保護ケース。
【考案の詳細な説明】
【技術分野】
【０００１】
本考案は、保護ケースに関し、特に、携帯型電子機器の保護ケースに関する。
【背景技術】
【０００２】
テクノロジーの進歩にともない、ＭＰ３、ＭＰ４といったマルチメディアプレーヤー、携帯電話、ＰＤＡ，携帯型ゲーム機、電子書籍、タブレットＰＣ、ネットブック、ノート型ＰＣなどの携帯型電子機器が人々の生活になくてはならないものとなった。携帯型電子機器は、従来のデスクトップ型ＰＣと異なり、持ち運びに便利であり、携帯されているのをよく見かけるようになった。
【０００３】
上記の携帯型電子機器において、２つのボディーにそれぞれディスプレイを有する携帯型ゲーム機があり、そのうち一つのボディーに複数のボタンが設けられていることもある。また、ネットブックおよびノート型ＰＣは、向かい合うように折り重ねることができる２つのボディーに、キーボードおよびディスプレイが別々に設けられていることが多い。ディスプレイを有するボディーは、キーボードまたはボタンを有するボディーにより支持されて直立した状態となり、ディスプレイの角度も調整され、手に持ったり、机上などに置いたりして、映像を鑑賞したり、操作を行なったりすることができる。
【０００４】
携帯型電子機器の保護および携帯しやすさを考慮して保護ケースまたは保護袋が用いられることが多い。市販されている保護ケースまたは保護袋には、以下の二種類がある。まず、一つのサイドエッジが開けられているもので、チャックまたはファスナーを開けて携帯型電子機器を取り出して使わなければならず、これが不便ともいえるのである。
【０００５】
次に、チャックによって三つの隣り合うサイドエッジが閉鎖されているものである。チャックを開くと保護ケースまたは保護袋が直接開けることができるもので、携帯型電子機器を保護ケースまたは保護袋に入れたままで操作ができる。保護ケースまたは保護袋には、携帯型電子機器のディスプレイボディーの二つの角に引っ掛けるエラスティックテープまたはベルトが内側表面に配置されているものもある。これにより、保護ケースまたは保護袋が開けられて、携帯型電子機器が後方に倒れて何かにぶつかるを避けることができる。
【０００６】
携帯型電子機器のディスプレイは、ますます薄型になっていてエラスティックテープがなかなうまくディスプレイボディーに引っ掛かからないことには、注意したほうがよい。そのため、ディスプレイが上方に開けられると、保護ケースまたは保護袋がエラスティックテープの部分から垂れ下がってしまい、見た目がよくなくなってしまう。また、ディスプレイボディーが１２０度以上の大きな角度で開けられると、エラスティックテープが二つの角から外れてしまうことがあった。携帯型電子機器の二つのボディー間の隙間が小さくなっているため、エラスティックテープを二つの角に引っ掛けるのも困難になってきた。
【先行技術文献】
【特許文献】
【０００７】
【特許文献１】特開平１１−３４２０１９号公報
【考案の概要】
【考案が解決しようとする課題】
【０００８】
本考案の目的は、弾性デバイスにより安定して直立して後方に倒れて物を破損してしまうのを防ぎ、留め具の嵌合を解除するだけで携帯型電子機器を自動的開く保護ケースを提供することにある。
【０００９】
上述の目的を達成するため、本考案は、保護ケースを提供する。本考案の保護ケースは、携帯型電子機器に用いられる。携帯型電子機器は、第１のボディ、および第１のボディに枢接する第２のボディを有する。第１のボディは搬送面上に置かれている。第２のボディは、第１のボディに対して折り重ねられ、第１のボディを覆うようにかぶさるか、第１のボディから離れて搬送面上に直立する。保護ケースは、第１のボディの底面を覆う第１の第１のカバープレートと、第２のボディの背面を覆う第２のカバープレートと、第１のカバープレートの第１のサイドエッジと第２のカバープレートの第２のサイドエッジとの間を連接する少なくとも一つの連接部を含む。底部は第１のカバープレートにより搬送面上に置かれ、第２のボディが第１のボディから離れると、第２のカバープレートが連接部の支持により搬送面上で直立するか、連接部の弾性回復力により背面を押さえ付ける。
【考案の効果】
【００１０】
本考案の保護ケースは、第２のカバープレートが連接部の支持により搬送面上で直立するため、見栄えのする保護ケースが後方に倒れて物を破損してしまうのを防ぐことができる。また、弾性デバイスが連接部として用いる際、弾性デバイスの自動的に開く角度を０°より大きくした場合、ユーザーが第１の留め具と第２の留め具の嵌合を解除すると、第２のカバープレートが第１のカバープレートから自動的に離れ、自動的に開くことができる。
【図面の簡単な説明】
【００１１】
【図１】本考案の一実施形態による保護ケースを示す平面図である。
【図２】本考案の一実施形態による保護ケースを示す正面図である。
【図３】保護ケースのＩ−Ｉ面の断面図である。
【図４】保護ケースのＩ−Ｉ面における第１の使用動作を示す断面図である。
【図５】保護ケースのＩ−Ｉ面における第２の使用動作を示す断面図である。
【図６】本考案のもう一つの実施形態による保護ケースの第１の動作を示す断面図である。
【図７】図６の保護ケースの第２の動作を示す断面図である。
【図８】締りばめ構造のシャフトが第１のカバープレートおよび第２のカバープレートに連接した状態を示す斜視図である。
【図９】図８の締りばめ構造のシャフトを示す断面図である。
【考案を実施するための形態】
【００１２】
以下、本考案の実施形態を図面に基づいて説明する。
【００１３】
図１〜３を参照する。図１は、本考案の一実施形態による保護ケースを示す平面図である。図２は、本考案の一実施形態による保護ケースを示す正面図である。図３は、保護ケースのＩ−Ｉ面の断面図である。図４は、保護ケースのＩ−Ｉ面における第１の使用動作を示す断面図である。図５は、保護ケースのＩ−Ｉ面における第２の使用動作を示す断面図である。図１〜５に示すように、本考案の保護ケース１００は、携帯型電子機器２００を収納する。携帯型電子機器２００は、第１のボディ２１０、および第１のボディ２１０に枢接する第２のボディ２２０を有する。
【００１４】
以下、本実施形態の携帯型電子機器２００をノートＰＣとして説明を加える。ノートＰＣのキーボードが本実施形態中の第１のボディ２１０で、搬送面３００上に置かれる。ノートＰＣのディスプレイが本実施形態中の第２のボディ２２０で、第１のボディ２１０に対して折り重ねられ、第１のボディ２１０を覆うようにかぶさるか、第１のボディ２１０から離れて搬送面３００上に直立する。また、図示されていないが、携帯型電子機器は、携帯型ゲーム機、ネットブックまたはその他の折り畳める二つのボディーを有するものである。
【００１５】
保護ケース１００は、第１のカバープレート（covering plate）１１０、第２のカバープレート１２０および少なくとも一つの連接部１３０を含む。連接部１３０は、第１のカバープレート１１０の第１のサイドエッジ（side edge）１１２と第２のカバープレート１２０の第２のサイドエッジ１２２との間を連接する。第１のカバープレート１１０は、第１のサイドエッジ１１２に対して設けた第１の留め具１１４（図４参照）を有する。第２のカバープレート１２０は、第２のサイドエッジ１２２に対して設けた第２の留め具１２４（図４参照）を有する。本実施形態において、保護ケース１００は、第１のサイドエッジ１１２の中段と第２のサイドエッジ１２２の中段との間に連接した連接部１３０を有するだけであるが、これに限定されるものではない。本実施形態で開示した以外に、保護ケース１００は、隣接した第１のサイドエッジ１１２の相対する両端と、隣接した第２のサイドエッジ１２２の相対する両端との間に連接する二つの連接部１３０を含んでもよい。また、保護ケース１００は、第１のサイドエッジ１１２と第２のサイドエッジ１２２との間に均等に分布した複数の連接部１３０を含んでもよい。
【００１６】
図３を参照する。図３に示すように、第１のカバープレート１１０および第２のカバープレート１２０は、連接部１３０を軸心として折り畳むと、携帯型電子機器２００を収納する収納空間１０２が形成される。この時、第１のカバープレート１１０は、第１のボディ２１０の底面２１２を覆い、第２のカバープレート１２０は、第２のボディ２２０の背面２２２を覆い、第１の留め具１１４と第２の留め具１２４とが相互に嵌合し、携帯型電子機器２００を第１のカバープレート１１０と第２のカバープレート１２０との間に収納する。図４を参照する。図４に示すように、第１の留め具１１４と第２の留め具１２４との嵌合を解除して、第２のボディ２２０を第１のボディ２１０から離すと、底面２１２が第１のカバープレート１１０を介して搬送面３００上に配置され、第２のカバープレート１２０が連接部１３０の支持により搬送面３００上で直立するか、背面２２２を押さえ付ける。
【００１７】
さらに詳細に説明を加える。第１の留め具１１４および第２の留め具１２４は、チャック（zipper set）であってもよい。第１のカバープレート１１０および第２のカバープレート１２０は、プラスチックプレートで、連接部１３０は、Ｕ字型プラスチック薄板スプリング（plastic flat spring）であってもよい。本実施形態では、第１のカバープレート１１０、第２のカバープレート１２０および連接部１３０は、粉末射出成形（inject molding）または熱成形（thermoforming）により一体成形されるが、これに限定されるものではなく、留め具（fastening）、粘着（attaching with adhesive）、螺着（screwing）、リベット締め（riveting）などの方法により結合されてもよい。図４を参照する。図４に示すように、第１の留め具１１４と第２の留め具１２４との嵌合が解除して（チャックを開けること）、第２のボディ２２０を第１のボディ２１０から離すと、第２のカバープレート１２０が連接部１３０を軸心として第１のカバープレート１１０から離れ、連接部１３０が弾性を有しながら変形する。この時、第２のカバープレート１２０が連接部１３０の提供する弾性回復力により背面２２２を押さえ付けることにより、搬送面３００上で直立する。そのため、第２のカバープレート１２０は、使用に際して見た目の美しさ以外に、後方に倒れて物にぶつかることがないという長所がある。
【００１８】
本実施形態で開示した以外に、第１のカバープレート１１０および第２のカバープレート１２０は、金属材料からなってもよい。または、連接部１３０に弾性を持たせて変形させ、連接部１３０の提供する弾性回復力により連接部１３０を中心として揺動することができる固い材料からなってもよい。連接部１３０は、金属薄板スプリング（metal flat spring）、ねじりコイルばね（torsion spring）渦巻きばね（spiral spring）またはその他の同様な効果を有する弾性デバイスか、その組み合わせであってもよい。第１のカバープレート１１０と第２のカバープレート１２０との間の開く角度（unfolded angle）が大きすぎると、弾性疲労（elastic fatigue）が起きる恐れがあるため、第１のカバープレート１１０と第２のカバープレート１２０との間の夾角の範囲は０〜１５０°が好適である。
【００１９】
弾性デバイスの自由角度（free angle）０°以上に設定できるが、図５では１５℃である。第１の留め具１１４と第２の留め具１２４との嵌合を解除すると、第２のカバープレート１２０が自動的に第１のカバープレート１１０から離れ、携帯型電子機器２００が取り出しやすくなったり、第１のボディ２１０を第２のボディ２２０から開けやすくなったりする。そのため、保護ケース１００の利便性が向上する。
【００２０】
図６および図７を参照する。図６は、本考案のもう一つの実施形態による保護ケースの第１の動作を示す断面図である。図７は、図６の保護ケースの第２の動作を示す断面図である。図６および図７に示すように、連接部１３０は、ノート型ＰＣによく用いられている締りばめ構造（close fit structure）を有するシャフトからなる。第２のボディ２２０が第１のボディ２１０から離れると、第１のカバープレート１１０と第２のカバープレート１２０との間では、連接部１３０の締りばめ構造が提供する摩擦力により夾角が維持される。つまり、第２のカバープレート１２０は、連接部１３０が提供する支持力により搬送面３００上で直立する。
【００２１】
図８および図９を参照する。図８は、締りばめ構造のシャフトが第１のカバープレートおよび第２のカバープレートに連接した状態を示す斜視図である。図９は、図８の締りばめ構造のシャフトを示す断面図である。図８および図９に示すように、連接部１３０は、少なくとも一つのシャフト１３２、第１の金属片１３４および第２の金属片１３６を含む。図８中の連接部１３０は、ナットＮおよびボルトＢからなる二つのシャフト１３２を有して締りばめ構造を形成する。シャフト１３２の締め付け強度（tightening）は、ナットＮおよびボルトＢを締めたり緩めたりすることにより調節を行なう。シャフト１３２は、それぞれ３．５〜５．５kgf-cmを提供する。第１の金属片１３４と第２の金属片１３６との間の角度の範囲は、０〜３４５°である。
【００２２】
第１の金属片１３４は、第１のカバープレート１１０に固着され、第２の金属片１３６は、第２のカバープレート１２０に固着されている。二つのシャフト１３２は、第１のカバープレート１１０の端から距離のある第１の金属片１３４と、第２のカバープレート１２０の端から距離のある第２の金属片１３６との間に枢着されている。第２の金属片１３６の詳細な構造、および第２のカバープレート１２０と第２の金属片１３６との間の連接方法については、後ほど説明を加えるが、第１の金属片１３４の詳細な構造、および第１のカバープレート１１０と第１の金属片１３４との間の連接方法については、第２の金属片１３６と同様であるため、言及しない。
【００２３】
図９を参照する。図９に示すように、第２のカバープレート１２０は、内表面１２６、外表面１２８、内表面１２６上に形成された第１のくぼみＤ１、外表面１２８上に形成された第２のくぼみＤ２、および内表面１２６から外表面１２８まで延伸したスリットＳを有する。第２の金属片１３６は、第１の湾曲プレートＰ１、第２の湾曲プレートＰ２、メインプレートＰ３、枢接部ＰＰを含む。枢接部ＰＰは、連接プレートＰ４および環状プレートＰ５を含む。第１の湾曲プレートＰ１は、第２のくぼみＤ２内に埋設され、第２の湾曲プレートＰ２は、第１の湾曲プレートＰ１とメインプレートＰ３との間に連接され、スリットＳ内に埋設されている。つまり、第２の湾曲プレートＰ２は、第２のカバープレート１２０を貫いている。メインプレートＰ３は、一部が第１のくぼみＤ１内に埋設され、それ以外の部分が第２のカバープレート１２０の外部に延伸している。連接プレートＰ４は、第２の湾曲プレートＰ２の端に相対するメインプレートＰ３と環状プレートＰ５との間に連接している。
【００２４】
シャフト１３２は、相互に対応する第１の金属片１３４の環状プレートＰ５のうちの一つと、第２の金属片１３６の環状プレートＰ５のうちの一つとに嵌設される。そのため、第１のカバープレート１１０および第２のカバープレート１２０は、連接部１３０を介して開閉する。シャフト１３２が提供する締め付け強度は、ナットＮおよびボルトＢを緩めることにより調節が行なわる。これにより、第２のカバープレート１２０は、連接部１３０の提供する支持力により搬送面３００上で直立する。図８を参照する。図８に示すように、第２の金属片１３６の連接プレートＰ４（図９参照）は、複数の環状プレートＰ５間に隙間Ｇを有し、第１の金属片１３４の環状プレートＰ５は、隙間Ｇ内に位置するが、逆でも構わない。図９を参照する。図９に示すように、第１のカバープレート１１０および第２のカバープレート１２０は、第１のくぼみＤ１および第２のくぼみＤ２の底面２１２(図４参照)から延伸し、第１の湾曲プレートＰ１およびメインプレートＰ３を貫通する複数を補強ロッド（enforcing rod）Ｒをさらにそれぞれ有してもよい。これにより、第１の湾曲プレートＰ１およびメインプレートＰ３がそれぞれ第１のカバープレート１１０および第２のカバープレート１２０上に強く固着される。
【００２５】
本実施形態で開示した以外に、第１の金属片１３４および第２の金属片１３６は、少なくとも一つが第１のカバープレート１１０および／または第２のカバープレート１２０に固着する際、半田付け、留め具、粘着、螺着、リベット締めなどの方法か、その組み合わせにより結合されてもよい。また、連接部１３０は、歯車構造（gear wheel structure）、ナットによる螺着（structure screwed with nuts）構造またはノート型PCによく見られるその他の枢軸構造でもよい。また、第１の留め具１１４は、面ファスナー（Ｖｅｌｃｒｏ（登録商標）R）のフック、スナップボタン（snap button）の凸部、永久磁石（permanent magnet）、ホック（hook）またはピン（pin）でもよく、第２の留め具１２４は、面ファスナー（Ｖｅｌｃｒｏ（登録商標）R）のループ、スナップボタンの凹部、強磁性体（ferromagnetic material）、ホックの穴（locking aperture）、ピン穴（inserting aperture）などでよく、また逆であってもよい。第１の留め具１１４および第２の留め具１２４は、極性が反対の永久磁石でもよい。
【００２６】
図４を参照する。図４に示すように、連接部１３０、および硬い材料からなる第１のカバープレート１１０、第２のカバープレート１２０は、使用中に携帯型電子機器２００の底面２１２および背面２２２を傷付けてしまう恐れがある。そのため、保護ケース１００は、内層材料層１４０（inner material layer）をさらに含むのが望ましい。内層材料層１４０は、第１のカバープレート１１０、第２のカバープレート１２０および連接部１３０の内表面１２６（図示せず）を覆い、携帯型電子機器２００が第１のカバープレート１１０、第２のカバープレート１２０および連接部１３０に接するのを防ぐ。内層材料層１４０の材料は、ファイバークロス（fiber cloth）または携帯型電子機器２００を傷付けないその他の材料である。保護ケース１００は、内層材料層１４０と内表面１２６との間に裏側緩衝材料層１５０（lining cushioning material layer）をさらに含んでもよい。本実施形態において、裏側緩衝材料層１５０の材料は、石油基質（petroleum base）発泡材料、発泡ポリエチレン（extruded polyethylene, EPE）、EVA樹脂（ethylene vinyl acetate copolymer resin）、SBR樹脂（styrene butadiene rubber）、SCR樹脂（Standard Chinese Rubber）、形状記憶スポンジ（memory foam）、フォームラバー（foam rubber）のうちの一つ、またはクッション機能を有するその他の材料である。また、内層材料層１４０は、上記のクッション機能を有する材料からなってもよい。つまり、クッション機能を有し、携帯型電子機器２００を傷付けにくくなれば、上記のクッション機能を有する材料を直接表面にしてもいいのである。この場合、ファイバークロスなどで覆う必要がない。
【００２７】
保護ケース１００は、第１のカバープレート１１０、第２のカバープレート１２０および連接部１３０の外表面１２８（図示せず）を覆う外層材料層１６０（outer material layer）をさらに設けてもよい。外層材料層１６０の材料は、金属、プラスチック、皮革、合成皮革、ポリウレタン（polyurethane，PU）および布のうちの少なくとも一つである。また、表面塗装や簡単な表面処理を施してもよい。保護ケース１００は、外層材料層１６０と外表面１２８との間に裏側緩衝材料層１７０（lining cushioning material layer）をさらに含んでもよい。本実施形態において、裏側緩衝材料層１７０の材料は、石油基質（petroleum base）発泡材料、発泡ポリエチレン（extruded polyethylene, EPE）、EVA樹脂（ethylene vinyl acetate copolymer resin）、SBR樹脂（styrene butadiene rubber）、SCR樹脂（Standard Chinese Rubber）、形状記憶スポンジ（memory foam）、フォームラバー（foam rubber）のうちの少なくとも一つである。
【００２８】
本実施形態で開示した以外に、保護ケース１００は、第１の留め具１１４および第２の留め具１２４を含まないてもよい。第１のカバープレート１１０および第２のカバープレート１２０は、連接部１３０の提供する弾性回復力または摩擦力により携帯型電子機器２００を第１のカバープレート１１０と第２のカバープレート１２０との間に収納する。また、保護ケース１００は、手、肩、背中などに装着する紐を少なくとも一つさらに設けると、携帯に便利になる。
【００２９】
以上のように、本考案は、第２のカバープレート１２０が連接部１３０の支持により搬送面３００上で直立するため、見栄えのする保護ケース１００が後方に倒れて物を破損してしまうこともない。また、弾性デバイスが連接部１３０として用いる際、弾性デバイスの自動的に開く角度を０°より大きくした場合、ユーザーが第１の留め具１１４と第２の留め具１２４の嵌合を解除すると第２のカバープレート１２０が第１のカバープレート１１０から自動的に離れ、大変便利である。
【００３０】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００３１】
１００  保護ケース
１０２  収納空間
１１０  第１のカバープレート
１１２  第１のサイドエッジ
１１４  第１の留め具
１２０  第２のカバープレート
１２２  第２のサイドエッジ
１２４  第２の留め具
１２６  内表面
１２８  外表面
１３０  連接部
１３２  シャフト
１３４  第１の金属片
１３６  第２の金属片
１４０  内層材料層
１５０  裏側緩衝材料層
１６０  外層材料層
１７０  裏側緩衝材料層
２００  携帯型電子機器
２１０  第１のボディ
２１２  底面
２２０  第２のボディ
２２２  背面
３００  搬送面
Ｂ  ボルト
Ｄ１  第１のくぼみ
Ｄ２  第２のくぼみ
Ｇ  隙間
Ｎ  ナット
Ｐ１  第１の湾曲プレート
Ｐ２  第２の湾曲プレート
Ｐ３  メインプレート
Ｐ４  連接プレート
Ｐ５  環状プレート
ＰＰ  枢接部
Ｒ  補強ロッド
Ｓ  スリット
【図１】
0003177914.tif 000003
【図２】
0003177914.tif 000004
【図３】
0003177914.tif 000005
【図４】
0003177914.tif 000006
【図５】
0003177914.tif 000007
【図６】
0003177914.tif 000008
【図７】
0003177914.tif 000009
【図８】
0003177914.tif 000010
【図９】
0003177914.tif 000011